(57)【要約】【課題】自動販売機本体の幅方向寸法を小さくすることができるとともに、内部機器を容易に操作することのできる自動販売機を提供する。【解決手段】硬貨処理装置１４を前後方向に移動自在に支持するとともに、硬貨処理装置１４の操作面１４ｄが自動販売機本体１０の外部から操作可能な位置まで自動販売機本体１０の前方に引出すための支持機構１５を備えたので、操作面１４ｄの位置を前面に向けて配置する必要はなく、硬貨処理装置１４の収納スペースを小さくすることができ、自動販売機本体１０の小型化を図ることができる。【選択図】図２
2006338280.tif 000002
【特許請求の範囲】
【請求項１】
前面に開口部を有する自動販売機本体と、自動販売機本体の開口部を開閉する開閉扉と、自動販売機本体内に設けられ、所定の面に操作面を有する内部機器とを備えた自動販売機において、
前記内部機器を前後方向に移動自在に支持するとともに、内部機器の前面以外の操作面が自動販売機本体の外部から操作可能な位置まで自動販売機本体の前方に引出し可能な支持機構を備えた
ことを特徴とする自動販売機。
【請求項２】
前記支持機構を、自動販売機本体の内面に固定された固定部材と、固定部材に対して前後方向に移動自在に設けられ、内部機器を取付可能な可動板とから構成した
ことを特徴とする請求項１記載の自動販売機。
【請求項３】
前記可動板に、内部機器の操作面が所定方向に向きが変わるように内部機器を回動自在に支持する回動部を設けた
ことを特徴とする請求項２記載の自動販売機。
【請求項４】
前記可動板に、回動部の回動を所定位置で規制する回動規制部を設けた
ことを特徴とする請求項３記載の自動販売機。
【請求項５】
前記回動部に、自動販売機本体または開閉扉と回動部との間に位置する当接部を設けた
ことを特徴とする請求項３または４記載の自動販売機。
【請求項６】
前記回動部を、操作面が自動販売機本体の側方に向くように支持機構に支持された内部機器を操作面が前方に向きが変わるように設けた
ことを特徴とする請求項３、４または５記載の自動販売機。
【発明の詳細な説明】
【技術分野】
【０００１】
本発明は、例えば金銭処理装置やリモートコントローラ等、操作面を有する内部機器を自動販売機内に備えた自動販売機に関するものである。
【背景技術】
【０００２】
従来、この種の自動販売機としては、前面に開口部を有する自動販売機本体と、開口部を開閉する外扉と、自動販売機本体内に設けられ、所定の面に操作面を有する内部機器とを備えたものが知られている（例えば、特許文献１参照）。
【特許文献１】特開平１１−８６１１２号公報
【発明の開示】
【発明が解決しようとする課題】
【０００３】
しかしながら、従来の自動販売機では、内部機器の操作を行なうために、内部機器を操作面が前方を向くように設置してしているため、内部機器の幅方向寸法が大きい場合には、自動販売機本体の幅方向寸法が大きくなるという問題点があった。
【０００４】
本発明は前記問題点に鑑みてなされたものであり、その目的とするところは、自動販売機本体の幅方向寸法を小さくすることができるとともに、内部機器を容易に操作することのできる自動販売機を提供することにある。
【課題を解決するための手段】
【０００５】
本発明は前記目的を達成するために、前面に開口部を有する自動販売機本体と、自動販売機本体の開口部を開閉する開閉扉と、自動販売機本体内に設けられ、所定の面に操作面を有する内部機器とを備えた自動販売機において、前記内部機器を前後方向に移動自在に支持するとともに、内部機器の前面以外の操作面が自動販売機本体の外部から操作可能な位置まで自動販売機本体の前方に引出し可能な支持機構を備えている。
【０００６】
これにより、内部機器を前方に引出すことにより操作面が操作可能となることから、操作面を前面に向けて内部機器を設置する必要はなく、内部機器の収納スペースが小さくなる。
【発明の効果】
【０００７】
本発明によれば、操作面を前面に向けて内部機器を設置する必要がないので、内部機器の設置スペースを小さくすることができ、自動販売機本体の小型化を図ることができる。
【発明を実施するための最良の形態】
【０００８】
図１乃至図７は本発明の一実施形態を示すもので、図１は自動販売機の全体斜視図、図２は硬貨処理装置を引出した状態を示す自動販売機の斜視図、図３は自動販売機の正面断面図、図４は自動販売機の側面断面図、図５乃至図７は支持機構の動作を示す自動販売機の平面断面図である。
【０００９】
この自動販売機は、前面に開口部を有する自動販売機本体１０と、自動販売機本体１０の開口部の幅方向一端側を開閉可能な開閉扉としての外扉２０と、自動販売機本体１０の開口部の幅方向他端側を開閉可能な開閉扉としての操作扉３０とを備えている。
【００１０】
自動販売機本体１０は、内部を断熱壁１１によって幅方向に仕切ることにより、販売用の商品を収納可能な商品収納部１２と商品の販売に関する内部機器が収納される機器収納部１３が形成されている。商品収納部１２には、商品を収納するための図示しないベルトコンベア式の商品コラムが複数設けられ、図示しない商品搬出機構によって販売する商品を一つずつ商品取出口に搬出するようになっている。機器収納部１３は投入された硬貨の正偽を判断して金種別に収納するとともに、釣銭の払出しを行なうための内部機器としての硬貨処理装置１４を備えている。硬貨処理装置１４は、上面側に設けられた硬貨導入口１４ａと、硬貨導入口の下部に設けられ、硬貨導入口１４ａから導入された硬貨を正偽及び金種の判定を行なうための図示しない硬貨識別部と、硬貨識別部の下部に設けられ、金種ごとに硬貨が収納される硬貨収納器１４ｂと、硬貨収納器１４ｂの下部に設けられ、硬貨収納器１４ｂに収納された硬貨を釣銭として払出すための釣銭払出部１４ｃとを備えている。硬貨処理装置１４は、硬貨収納器１４ｂを着脱することが可能となっており、硬貨収納器１４ｂを取外して売上金を回収したり釣銭を補充するようになっている。この硬貨処理装置１４の場合、硬貨収納器１４ｂを着脱する面が操作面１４ｄとなっている。また、機器収納部１３には、操作面１４ｄが側方を向くように設けられた硬貨処理装置１４を自動販売機本体１０の前方に移動させるとともに、硬貨処理装置１４の操作面１４ｄを自動販売機本体１０の前方に向くように回動させるための支持機構１５が設けられている。支持機構１５は、機器収納部１３の断熱壁１１に設けられた上下一対の固定部材１５ａと、断熱壁１１と平行に設けられ、各固定部材１５ａに支持されたスライドレール１５ｂを介して前後方向移動可能な可動板１５ｃとを有している。また、可動板１５ｃには、蝶番１５ｄを介して幅方向に回動自在に支持され、硬貨処理装置１４が取付けられる回動部１５ｅが設けられている。回動部１５ｅの上端には、硬貨処理装置１４の取付面側への回動を規制する回動規制部１５ｆが上方に延びるように設けられている。また、回動部１５ｅの商品収納部１２側の前端側には、外扉２０に当接することによって回動部１５ｅが直接外扉に衝突することを防止するためのクッション材からなる当接部１５ｇが設けられている。硬貨処理装置１４は、支持機構１５によって操作面１４ｄを自動販売機本体１０の側方に向けた状態で機器収納部１３に収納されるようになっている。
【００１１】
外扉２０は、自動販売機本体１０の幅方向一端側に回動自在に支持され、商品収納部１２を開閉するようになっている。また、外扉２０は、ガラスや樹脂等からなる透明板２１と、透明板２１の外周部に設けられた枠部材２３とから構成され、外部から商品収納部１２が視認可能となっている。
【００１２】
操作扉３０は、自動販売機本体１０の幅方向他端側に回動自在に支持され、機器収納部１３を開閉するようになっている。また、操作扉３０の前面には、硬貨投入口３１、返却レバー３２、金額表示部３３、紙幣投入口３４、商品選択部３５、コイン返却口３６、商品取出口３７が設けられている。
【００１３】
以上のように構成された自動販売機において、売上金の回収や釣銭の補充等の保守管理を行なう場合には、操作扉３０を開放し、可動板１５ｃを前方に移動させることにより硬貨処理装置１４を自動販売機本体１０の前方に移動させ、回動部１５ｅを外扉２０側に回動させることにより硬貨処理装置１４の操作面１４ｄを前面に向ける。これにより、硬貨処理装置１４の操作面１４ｄを前面に向けた状態で硬貨収納器１４ｂを取外すことが可能となる。
【００１４】
このように、本実施形態の自動販売機によれば、硬貨処理装置１４を前後方向に移動自在に支持するとともに、硬貨処理装置１４の操作面１４ｄが自動販売機本体１０の外部から操作可能な位置まで自動販売機本体１０の前方に引出すための支持機構１５を備えたので、操作面１４ｄの位置を前面に向けて配置する必要はなく、硬貨処理装置１４の収納スペースを小さくすることができ、自動販売機本体１０の小型化を図ることができる。
【００１５】
また、自動販売機本体１０の内面に固定された固定部材１５ａと、固定部材１５ａに対して前後方向に移動自在に設けられ、硬貨処理装置１４を取付けるための可動板１５ｃとから支持機構１５を設けたので、複数の支持機構１５を必要とすることなく硬貨処理装置１４以外の複数の内部機器を１つの可動板１５ｃに支持可能となり、内部機器の収納スペースを更に小さくすることができる。
【００１６】
また、硬貨処理装置１４の操作面１４ｄが前方を向くように硬貨処理装置１４を回動自在に支持する回動部１５ｅを設けたので、操作面１４ｄが自動販売機本体１０の側面に向いた状態で配置された硬貨処理装置１４を自動販売機本体１０の前方を向くように回動させることができ、硬貨処理装置１４の操作性の向上を図ることができる。
【００１７】
また、回動部１５ｅの硬貨処理装置１４の取付面側への回動を規制するための回動規制部１５ｆを設けたので、回動部１５ｅが硬貨処理装置１４の取付面側へ回動することにより硬貨処理装置１４が他の内部機器や部材に接触することはなく、硬貨処理装置１４または他の内部機器の破損を防止することができる。
【００１８】
また、外扉２０と回動部１５ｅとの間に位置する当接部１５ｇを回動部１５ｅに設けたので、回動部１５ｅが回動すると当接部１５ｇを外扉２０に当接させることができ、回動部１５ｅが外扉２０に直接接触することによる外扉２０の破損を防止することができる。
【００１９】
尚、前記実施形態では、自動販売機本体１０の商品収納部１２を開閉する外扉２０と機器収納部１３を開閉する操作扉３０を備えた自動販売機を示したが、１つの扉によって自動販売機本体１０を覆う自動販売機においても、同様に内部機器の収納スペースを小さくすることができ、自動販売機本体１０の小型化を図ることができる。
【００２０】
また、前記実施形態では、支持機構１５に硬貨処理装置１４を支持するようにしたものを示したが、商品の販売に関する設定操作を行なうためのリモートコントローラや投入された紙幣を正偽の判定を行なうと共に収納するための紙幣処理装置など、自動販売機本体内に収納される操作面を有する内部機器に対して適用することが可能である。
【００２１】
また、前記実施形態では、第３の支持部材１５ｅが幅方向に回動するものを示したが、内部機器の収納状態によっては上下方向に回動するものであってもよい。
【００２２】
また、前記実施形態では、硬貨処理装置１４を操作面１４ｄが自動販売機本体１０の側方を向くように機器収納部１３に収納するようにしたものを示したが、収納される内部機器の外形寸法や機器収納部１３の収納位置に応じて、操作面を上方や下方に向けて収納するようにしてもよい。例えば機器収納部１３の下部に内部機器を収納する場合には、操作面を上方に向けて内部機器を機器収納部１３に収納する。これにより、内部機器を前方に移動させることにより操作面が上方を向くことから、内部機器の操作を容易に行なうことが可能となる。
【００２３】
また、前記実施形態では、硬貨処理装置１４の操作時に操作面１４ｄが自動販売機本体１０の前方に向きが変わるようにしたものを示したが、機器収納部１３に収納される内部機器の設置位置に応じて操作面が上方、下方または側方に向きが変わるようにしてもよい。これにより、各内部機器の操作性を向上させることが可能となる。
【図面の簡単な説明】
【００２４】
【図１】本発明の一実施形態を示す自動販売機の全体斜視図
【図２】硬貨処理装置を引出した状態を示す自動販売機の斜視図
【図３】自動販売機の正面断面図
【図４】自動販売機の側面断面図
【図５】支持機構の動作を示す自動販売機の平面断面図
【図６】支持機構の動作を示す自動販売機の平面断面図
【図７】支持機構の動作を示す自動販売機の平面断面図
【符号の説明】
【００２５】
１０…自動販売機本体、１３…機器収納部、１４…硬貨処理装置、１４ｄ…操作面、１５…支持機構、１５ａ…固定部材、１５ｃ…可動板、１５ｅ…回動部。
【図１】
2006338280.tif 000003
【図２】
2006338280.tif 000004
【図３】
2006338280.tif 000005
【図４】
2006338280.tif 000006
【図５】
2006338280.tif 000007
【図６】
2006338280.tif 000008
【図７】
2006338280.tif 000009